(57)【要約】
【課題】この考案はレールなどの重量物を上昇させる作業を用意かつ迅速に行うことができるようにしたジャッキ装置を提供することにある。
【解決手段】重量物を持ち上げるためのジャッキ装置において、
　板状のベース部材２と、シリンダ５、このシリンダに上下動可能に設けられた作動軸６及びこの作動軸を上昇方向に駆動する操作レバー８を有し、上記作動軸の軸線が上記ベース部材の板面に対してほぼ垂直になるよう上記ベース部材に設けられたジャッキ３と、一端部が上記作動軸の上端部に連結され他端部が上記重量物の下面に係合可能な爪部１６に形成され上記作動軸の上下動に連動する連動部材１５とを具備する。
【選択図】図２
0003099298.tif 000002
【実用新案登録請求の範囲】
【請求項１】
　重量物を持ち上げるためのジャッキ装置において、
　板状のベース部材と、
　シリンダ、このシリンダに上下動可能に設けられた作動軸及びこの作動軸を上昇方向に駆動する操作部材を有し、上記作動軸の軸線が上記ベース部材の板面に対してほぼ垂直になるよう上記ベース部材に設けられたジャッキと、
　一端部が上記作動軸の上端部に連結され他端部が上記重量物の下面に係合可能な爪部に形成され上記作動軸の上下動に連動する連動部材と
　を具備したことを特徴とするジャッキ装置。
【請求項２】
　上記シリンダの側面と上記連動部材の中途部とのどちらか一方には、この連動部材が上下動する方向に沿ってリニアガイドが設けられ、他方にはこのリニアガイドにスライド可能に係合する係合部が設けられていることを特徴とする請求項１記載のジャッキ装置。
【請求項３】
　上記ベース部材には、上記連動部材を下降させたときにこの連動部材の他端部の爪部が入り込む逃げ孔が形成されていることを特徴とする請求項１記載のジャッキ装置。
【請求項４】
　上記ベース部材の上記ジャッキの両側には、先端部を上記連動部材の爪部の先端よりも前方へ突出させるとともに先端面が上記爪部に向かって高く傾斜した傾斜面に形成された一対のガイド部材が設けられていることを特徴とする請求項１記載のジャッキ装置。
【考案の詳細な説明】
【技術分野】
【０００１】
　この考案は重量物、たとえばレールなどを持ち上げるために用いられるジャッキ装置に関する。
【背景技術】
【０００２】
　たとえば、列車が走行するレールは所定間隔で設けられた多数の枕木によって支えられている。レールを敷設する場合には、レールの上面が同じ高さになるよう、上記枕木によって調整される。
【０００３】
　しかしながら、レールに列車の荷重が長期間にわたって繰り返して加わると、一部の枕木が沈み、上記レールの上面の高さがうねる、いわゆる軌条むらが生じるということがある。レールに軌条むらが生じた場合、レールの低くなった部分を枕木とともにジャッキ装置で持ち上げ、その枕木の下側に砂利を詰め込むなどしてレール上面の高さを調整する作業が行われる。
【０００４】
　一般に、上記ジャッキ装置にはねじ機構などを用いた機械式や油圧を用いた油圧式などがある。いずれの構造においても、ねじを回転させたり、油圧用のオイルをシリンダに送り込むためなどの操作を行うことで、作動軸を上昇させるようになっている。そして、作動軸の上面を上記レールの下面に係合させ、この作動軸を上昇させることで、上記レールを持ち上げるようにしている。
【考案の開示】
【考案が解決しようとする課題】
【０００５】
　ところで、ジャッキ装置を、作動軸の上面がレールの下面に係合するよう、レールの下方にセットするためには、レールの下面側に、ジャッキ装置全体を入り込ませることができる大きさの空間部を確保しなければならない。
【０００６】
　ジャッキ装置をセットするための空間部を確保するには、作業者が手作業でレールの下面側の砂利を除去しなければならない。つまり、レールの下方の砂利を、ジャッキ装置の高さ寸法に応じた深さで除去しなければならない。そのため、レールの下方にジャッキ装置をセットするためには多量の砂利を除去しなければならないから、その作業に多くの手間や負担がかかるということがあった。
【０００７】
　この考案は、重量物の下面側にわずかの空間部を確保するだけで、この重量物を持ち上げることができるようにしたジャッキ装置を提供することにある。
【課題を解決するための手段】
【０００８】
　この考案は、重量物を持ち上げるためのジャッキ装置において、
　板状のベース部材と、
　シリンダ、このシリンダに上下動可能に設けられた作動軸及びこの作動軸を上昇方向に駆動する操作部材を有し、上記作動軸の軸線が上記ベース部材の板面に対してほぼ垂直になるよう上記ベース部材に設けられたジャッキと、
　一端部が上記作動軸の上端部に連結され他端部が上記重量物の下面に係合可能な爪部に形成され上記作動軸の上下動に連動する連動部材と
　を具備したことを特徴とするジャッキ装置にある。
【０００９】
　上記シリンダの側面と上記連動部材の中途部とのどちらか一方には、この連動部材が上下動する方向に沿ってリニアガイドが設けられ、他方にはこのリニアガイドにスライド可能に係合する係合部が設けられていることが好ましい。
【００１０】
　上記ベース部材には、上記連動部材を下降させたときにこの連動部材の他端部の爪部が入り込む逃げ孔が形成されていることが好ましい。
【００１１】
　上記ベース部材の上記ジャッキの両側には、先端部を上記連動部材の爪部の先端よりも前方へ突出させるとともに先端面が上記爪部に向かって高く傾斜した傾斜面に形成された一対のガイド部材が設けられていることが好ましい。
【考案の効果】
【００１２】
　この考案によれば、連動部材の爪部を重量物の下面に差込み、この連動部材をジャッキによって上昇させれば、この重量物を連動部材によって持ち上げることができるから、重量物の下面側にジャッキ装置全体を入り込ませるための、ジャッキ装置の高さに応じた空間部を確保せずにすむ。
【考案を実施するための最良の形態】
【００１３】
　以下、この考案の一実施の形態を図面を参照して説明する。
【００１４】
　図１はこの考案のジャッキ装置の平面図で、図２は同じく側面図である。ジャッキ装置１は八角形状のべ−ス部材２を備えている。このベース部材２の上面には油圧式のジャッキ３が取付け固定されている。
【００１５】
　上記ジャッキ３は、上記ベース部材２に比べて小さな平面形状、この実施の形態では矩形状をなした基部４を有する。この基部４の一端部にはシリンダ５が軸線をほぼ垂直にして立設されている。シリンダ５には作動軸６が上下動可能に設けられ、上端部を上記シリンダ５から突出させている。
【００１６】
　図２に示すように、上記基部４の他端部には取付け部７が設けられている。この取付け部７には操作部材としての操作レバー８の先端部がピン９によって回動可能に連結されている。この操作レバー８の先端は上記基部４の他端部上面に突出した作動子１１にリンク１２を介して回動可能に連結されている。
【００１７】
　上記操作レバー８をピン９を支点として図２に矢印で示す時計方向に回動させると、上記作動子１が作動して上記シリンダ５に油圧用のオイルが圧送される。それによって、上記作動軸６がシリンダ５から突出する上昇方向に駆動される。なお、上記基部４には取付け部７の側方に上下調整レバー１３が設けられている。この上下調整レバー１３を操作することで、上昇した作動軸６を下降させることができるようになっている。
【００１８】
　上記作動軸６の上端には側面形状がクランク状をなした連動部材１５の一端部（上端部）が取付け固定されている。この連動部材１５の他端部（下端部）は後述する重量物としてのレール３０の下面に係合させることができる爪部１６となっていて、この爪部１６の上面には滑り止め用の複数の溝１６ａが幅方向に沿って形成されている。
【００１９】
　上記シリンダ５の側面の上記連動部材１５の中途部に対向する部分にはリニアガイド１７が上下方向に沿って設けられている。このリニアガイド１７には上記連動部材１５の中途部の一側面に設けられた係合部１８がスライド可能に係合している。それによって、上記作動軸６が上下動すると、その上下動に上記連動部材１５が左右方向に振れることなく連動するようになっている。
【００２０】
　なお、連動部材１５にリニアガイド１７を設け、シリンダ５の側面に係合部１８を設けるようにしても差し支えない。　
　上記連動部材１５は、図２に実線で示す位置が下降限の位置であり、そのときには爪部１６が上記ベース部材２に穿設された矩形状の逃げ孔１９に入り込むようになっている。爪部１６が逃げ孔１９に入り込むことで、図２にｈで示すベース部材２の下面から爪部１６の上面までの高さ寸法を小さくすることができる。
【００２１】
　上記ベース部材２の上面には、上記ジャッキ３の両側に一対のガイド部材２１が前後方向に沿って設けられている。このガイド部材２１は断面矩形の棒状をなしていて、上記逃げ孔１９側に位置する先端部にはこの逃げ孔１９に入り込んだ爪部１６に向かって高く傾斜した傾斜面２２に形成されている。
【００２２】
　それによって、ベース部材２とともに連動部材１５の爪部１６をレール３０の下面に差込むとき、上記傾斜面２２がレール３０の下面に当たるため、この傾斜面２２にガイドされて上記爪部１６を円滑に差込むことが可能となる。　
　なお、図２では、ガイド部材２１の上面が逃げ孔１８に入り込んだ爪部１６の上面よりもわずかに低くなっているが、ほぼ同じ高さ或いはわずかに高くしてもよく、その方が爪部１６をレール３０の下面に差込み易い。
【００２３】
　上記連動部材１５の上記作動軸６に連結された一端部の幅方向両端面には、把手２３の両端部がピン２４によって回動可能に連結されている。それによって、この把手２３により、ジャッキ装置１を持ち運ぶことができるようになっている。なお、連動部材１５の上端の一方の端面には上記把手２３の下降方向への回動を制限するストッパ２５が設けられている。それによって、作業者は把手２３を把持し易くなっている。
【００２４】
　つぎに、上記構成のジャッキ装置１によってレール３０を持ち上げる場合について図３と図４を参照しながら説明する。図４は一対のレール３０のかけ継ぎ部３０ａを示しており、レール３０は所定間隔で設けられた多数の枕木３１によって所定の高さに支持されている。
【００２５】
　長期の使用によってレール３０の上面の高さにうねりが生じる、軌条むらが発生した場合には、レール３０の低くなった部分をジャッキ装置１によって枕木３１とともに持ち上げ、その枕木３１の下面に砂利３２を入れて高さを調整する。
【００２６】
　レール３０をジャッキ装置１によって持ち上げるには、図３に示すようにレール３０の下面にジャッキ３の連動部材１５に形成された爪部１６を差込む。爪部１６をレール３０の下面に差込むには、まずレール３０の下面の砂利３２を除去する。レール３０下面の砂利の除去量は、レール３０の下面にジャッキ３の爪部１６を差込むことができる分だけ除去すればよい。つまり、図２にｈで示すベース部材２と爪部１６とがなす高さ寸法に対応する分だけ砂利３２を除去すればよい。
【００２７】
　そのため、レール３０の下面側からの砂利３２の除去量は、ジャッキ装置１全体をレール３０の下面側にセットする場合に比べてわずかですむから、砂利３２の除去作業を容易に、しかも迅速に行うことが可能となる。
【００２８】
　所定量の砂利３２を除去してジャッキ装置１の先端部、つまり連動部材１５の爪部１６をレール３０の下面に差込む際、ベース部材２の両側に設けられた一対のガイド部材２１の先端の傾斜面２２がレール３０の下面の縁部に当たることで、爪部１６の差込みをガイドする。そのため、レール３０を持ち上げるためのジャッキ装置１のセットを円滑に行うことが可能となる。
【００２９】
　ジャッキ装置１の爪部１６をレール３０の下面に差込んだならば、操作レバー８を図２に矢印で示す時計方向に押し下げてから上昇させるという作業を繰り返して行なう。それによって、ジャッキ３のシリンダ５に圧油が送られて作動軸６が上昇し、その上昇に連動部材１５が連動するから、この連動部材１５の下端の爪部１６によってレール３０を枕木３１とともに持ち上げることができる。レール３０とともに枕木３１を持ち上げたならば、その枕木３１の下面に砂利３２を詰め込むことで、レール３０の高さを調整することができる。
【００３０】
　爪部１６によるレール３０の持ち上げ高さが高すぎた場合には、上下調整レバー１３によって下端に低くすることができるから、この上下調整レバー１３と操作レバー８との操作とによってレール３０の持ち上げ高さを精度よく、しかも簡単に設定することができる。
【００３１】
　このように、この考案のジャッキ装置１は、作動軸６によってレールを直接持ち上げず、作動軸６にクランク形状の連動部材１５を取付け、この連動部材１５の下端に形成された爪部１６をレール３０の下面に係合させるようにした。そのため、レール３０の下面にジャッキ装置１の高さ寸法に比べて十分に低い空間を確保するだけで、上記ジャッキ装置１をセットしてレール３０を持ち上げえることができるから、レール３０の高さ調整の作業を容易かつ迅速に行うことが可能となる。
【００３２】
　しかも、ベース部材２や爪部１６の幅寸法を十分に小さくすることが可能であるから、図４に示すような一対のレール３０のかけ継ぎ部３０ａのように、隣り合う枕木３１の間隔が狭い箇所であっても、これら枕木３１の間に爪部１６を差込んでジャッキ装置１をセットすることができる。
【００３３】
　なお、上記一実施の形態では、重量物としてレールを持ち上げる場合について説明したが、レール以外の重量物を持ち上げる場合であっても、この考案のジャッキ装置を使用することができることは勿論である。
【図面の簡単な説明】
【００３４】
【図１】この考案の一実施の形態を示すジャッキ装置の平面図。
【図２】同じくジャッキ装置の側面図。
【図３】レールを持ち上げるためにジャッキ装置をセットする状態を示した説明図。
【図４】一対のレールのかけ継ぎ部を示す側面図。
【符号の説明】
【００３５】
　２…ベース部材、３…ジャッキ、５…シリンダ、６…作動軸、８…操作レバー（操作部材）、１５…連動部材、１６…爪部、１７…リニアガイド、１８…係合部、１９…逃げ孔、２１…ガイド部材、２２…傾斜面。
【図１】
0003099298.tif 000003
【図２】
0003099298.tif 000004
【図３】
0003099298.tif 000005
【図４】
0003099298.tif 000006